(57)【要約】【課題】靴本体部内の換気を十分に行うことができるようにする。【解決手段】靴本体部３１と、靴本体部３１の底部を覆う中底と、中底との間に空気層Ｓｐを形成するように配設された本底３７と、換気装置とを備える。換気装置は、靴本体部３１内の所定の箇所に形成され、空気を取り込むための第１の通気部、靴本体部３１内の他の所定の箇所に形成され、空気を排出するための第２の通気部、空気層Ｓｐに形成されたポンプ室Ｒ３、及び装着者の歩行に伴って、第１の通気部を介して取り込んだ空気をポンプ室Ｒ３に吸引し、ポンプ室Ｒ３の空気を第２の通気部に吐出し、第２の通気部を介して排出する弁構造体を備える。ポンプ室Ｒ３が空気層Ｓｐ内に形成されるので、ポンプ室Ｒ３に吸引され、ポンプ室Ｒ３から吐出される空気の量を多くすることができる。【選択図】図１
2014200327.tif 000002
【特許請求の範囲】
【請求項１】
（ａ）靴本体部と、
（ｂ）該靴本体部の底部を覆う中底と、
（ｃ）該中底との間に空気層を形成するように配設された本底と、
（ｄ）前記靴本体部内の空気を靴本体部外に排出し、靴本体部外の空気を靴本体部内に取り込むための換気装置とを有するとともに、
（ｅ）該換気装置は、靴本体部内の所定の箇所に形成され、空気を取り込むための第１の通気部、靴本体部内の他の所定の箇所に形成され、空気を排出するための第２の通気部、前記空気層に形成されたポンプ室、及び装着者の歩行に伴って、前記第１の通気部を介して取り込んだ空気をポンプ室に吸引し、該ポンプ室の空気を第２の通気部に吐出し、該第２の通気部を介して靴本体部内に排出する弁構造体を備えることを特徴とする換気靴。
【請求項２】
前記空気層において、前記第１の通気部と連通させて第１の空気室が、前記第２の通気部と連通させて第２の空気室が形成され、前記第１、第２の空気室間に前記ポンプ室が形成される請求項１に記載の換気靴。
【請求項３】
前記弁構造体は、第１の空気室とポンプ室との間に延在させて配設された弁本体、及び該弁本体と第２の空気室とを連通する通気路を備える請求項１に記載の換気靴。
【請求項４】
（ａ）前記本底におけるポンプ室を形成する部分には、本底の底壁から立ち上げて複数のリブが形成され、
（ｂ）該各リブの上面は、所定の部分において前記中底と当接させられ、前記所定の部分以外の部分において中底との間に隙間を形成する請求項１〜３のいずれか１項に記載の換気靴。
【請求項５】
靴本体部、該靴本体部の底部を覆う中底、該中底との間に空気層を形成するように配設された本底、及び前記靴本体部内の空気を第１の通気部を介して取り込み、第２の通気部を介して靴本体部内に排出する換気装置を備え、前記空気層において、前記第１の通気部と連通させて第１の空気室が、前記第２の通気部と連通させて第２の空気室が、第１、第２の空気室間にポンプ室が形成された換気靴に搭載される弁構造体において、
（ａ）前記空気層内において、第１の空気室とポンプ室との間に延在させて配設された弁本体と、
（ｂ）該弁本体と第２の空気室とを連通する通気路とを有することを特徴とする弁構造体。
【発明の詳細な説明】
【技術分野】
【０００１】
本発明は、換気靴及び弁構造体に関するものである。
【背景技術】
【０００２】
従来、靴は、靴本体部、該靴本体部の底部を覆うソール、該ソールの後端部において下方に突出させて形成されたヒール等から成り、前記靴本体部は、主に、皮革、布、ゴム、ビニール等によって形成されるようになっている。
【０００３】
ところで、前記靴においては、靴本体部内の通気性が悪いので、湿度の高い環境下で長時間靴を装着していると、足が蒸れやすく、靴を装着する者、すなわち、装着者は不快感を覚えてしまう。
【０００４】
そこで、前記ヒールにポンプ室を形成し、装着者が歩行するのに伴ってポンプ室内の圧力を変化させることによって、靴本体部内の換気を行うようにした換気靴が提供されている。
【０００５】
図２は従来の換気靴の縦断面図である。
【０００６】
図において、１０は換気靴、１１は靴本体部、１２は該靴本体部１１の底部を覆うソール、１３は該ソール１２の後端部において下方に突出させて形成されたヒールであり、前記ソール１２は、弾性材料から成る中底１５、及び地面と接触する下底１６を備え、該下底１６に複数の凹部１８が形成され、前記中底１５に、各凹部１８と靴本体部１１内とを連通させて連通孔１９が形成される。
【０００７】
前記ヒール１３内には中空のポンプ室２１が形成され、該ポンプ室２１は、逆止弁２２を介して前記各凹部１８と、逆止弁２３を介して換気靴１０外と連通させられる。また、前記ポンプ室２１の上方には、前記中底１５の一部によって形成されたポンプ作動壁２５が配設され、該ポンプ作動壁２５によって前記ポンプ室２１が覆われる。
【０００８】
この場合、前記ポンプ作動壁２５は、上方に向けてわずかに湾曲させて形成され、歩行に伴ってポンプ作動壁２５に装着者の体重が加わると、装着者の踵によって押されて変形させられ、偏平な作動状態になる。これにより、ポンプ室２１内の圧力が高くなり、逆止弁２３が開放され、ポンプ室２１内の空気が換気靴１０外に排出される。
【０００９】
続いて、装着者の踵がポンプ作動壁２５から離れ、ポンプ作動壁２５に装着者の体重が加わらなくなると、ポンプ作動壁２５は復元して湾曲した非作動状態に戻る。これにより、ポンプ室２１内の圧力が低くなり、逆止弁２２が開放され、靴本体部１１内の空気が連通孔１９及び各凹部１８を介してポンプ室２１に吸引される（例えば、特許文献１参照。）。
【先行技術文献】
【特許文献】
【００１０】
【特許文献１】実開平２−２００４号公報
【発明の概要】
【発明が解決しようとする課題】
【００１１】
しかしながら、前記従来の換気靴１０においては、ポンプ室２１がヒール１３内に形成されるので、ポンプ室２１の容積が小さく、換気靴１０外に排出され、ポンプ室２１に供給される空気の量、すなわち、換気量が少なく、靴本体部１１内の換気を十分に行うことができない。
【００１２】
また、靴本体部１１に装着者の足が精度良く密着して装着されると、踵がポンプ作動壁２５から離れず、ポンプ作動壁２５が偏平な作動状態のままになることがある。その場合、ポンプ作動壁２５が復元して湾曲した非作動状態に戻らず、靴本体部１１内の空気がポンプ室２１に供給されないので、靴本体部１１内の換気を円滑に行うことができない。
【００１３】
本発明は、前記従来の換気靴１０の問題点を解決して、靴本体部内の換気を十分に行うことができる換気靴及び弁構造体を提供することを目的とする。
【課題を解決するための手段】
【００１４】
本発明の換気靴においては、靴本体部と、該靴本体部の底部を覆う中底と、該中底との間に空気層を形成するように配設された本底と、前記靴本体部内の空気を靴本体部外に排出し、靴本体部外の空気を靴本体部内に取り込むための換気装置とを有する。
【００１５】
そして、該換気装置は、靴本体部内の所定の箇所に形成され、空気を取り込むための第１の通気部、靴本体部内の他の所定の箇所に形成され、空気を排出するための第２の通気部、前記空気層に形成されたポンプ室、及び装着者の歩行に伴って、前記第１の通気部を介して取り込んだ空気をポンプ室に吸引し、該ポンプ室の空気を第２の通気部に吐出し、該第２の通気部を介して靴本体部内に排出する弁構造体を備える。
【発明の効果】
【００１６】
本発明によれば、靴本体部と、該靴本体部の底部を覆う中底と、該中底との間に空気層を形成するように配設された本底と、前記靴本体部内の空気を靴本体部外に排出し、靴本体部外の空気を靴本体部内に取り込むための換気装置とを有する。
【００１７】
そして、該換気装置は、靴本体部内の所定の箇所に形成され、空気を取り込むための第１の通気部、靴本体部内の他の所定の箇所に形成され、空気を排出するための第２の通気部、前記空気層に形成されたポンプ室、及び装着者の歩行に伴って、前記第１の通気部を介して取り込んだ空気をポンプ室に吸引し、該ポンプ室の空気を第２の通気部に吐出し、該第２の通気部を介して靴本体部内に排出する弁構造体を備える。
【００１８】
この場合、ポンプ室が中底と本底との間の空気層内に形成されるので、ポンプ室の容積を大きくすることができ、ポンプ室に吸引され、ポンプ室から吐出される空気の量を多くすることができる。したがって、装着者の歩行に伴って、本底がわずかに収縮し、中底及び本底がわずかに湾曲するだけで、靴本体部内の換気を十分に行うことができる。
【００１９】
さらに、靴本体部に装着者の足が精度良く密着して装着されて踵が中底の後端部から離れなくなることがあっても、装着者の歩行に伴って、本底が収縮し、中底及び本底が湾曲するので、靴本体部内の換気を円滑に行うことができる。
【図面の簡単な説明】
【００２０】
【図１】本発明の実施の形態における換気靴の縦断面図である。
【図２】従来の換気靴の縦断面図である。
【図３】本発明の実施の形態における上中底の平面図である。
【図４】本発明の実施の形態における下中底の平面図である。
【図５】本発明の実施の形態における本底の平面図である。
【図６】本発明の実施の形態における本底の縦断面図である。
【図７】図５のＡ−Ａ断面図である。
【図８】図５のＢ−Ｂ断面図である。
【図９】図５のＣ−Ｃ断面図である。
【図１０】図５のＤ−Ｄ断面図である。
【図１１】本発明の実施の形態における弁ユニットの縦断面図である。
【図１２】本発明の実施の形態における排気時の換気装置の動作を説明するための図である。
【図１３】本発明の実施の形態における吸気時の換気装置の動作を説明するための図である。
【発明を実施するための形態】
【００２１】
以下、本発明の実施の形態について図面を参照しながら詳細に説明する。
【００２２】
図１は本発明の実施の形態における換気靴の縦断面図、図３は本発明の実施の形態における上中底の平面図、図４は本発明の実施の形態における下中底の平面図、図５は本発明の実施の形態における本底の平面図、図６は本発明の実施の形態における本底の縦断面図、図７は図５のＡ−Ａ断面図、図８は図５のＢ−Ｂ断面図、図９は図５のＣ−Ｃ断面図、図１０は図５のＤ−Ｄ断面図である。
【００２３】
図において、３０は換気靴、３１は装着者の足を覆う靴本体部、３２は該靴本体部３１の底部に配設されたソール、３３は、該ソール３２の後端部を下方に向けて突出させて形成され、扇状部及び矩形部を連結した形状（以下「ヒール形状」という。）を有するヒールである。
【００２４】
前記ソール３２は、前記靴本体部３１の底部を覆う第１の中底としての上中底３５、該上中底３５より下方において、上中底３５と重ねて配設された第２の中底としての下中底３６、及び該下中底３６より下方において、下中底３６との間に空気層Ｓｐを形成するように配設された第３の底としての本底３７を備える。
【００２５】
前記靴本体部３１及び上中底３５は、例えば、皮革、布、合成樹脂等によって形成され、下中底３６は、ゴム合成樹脂等の可撓性を有する材料から成り、板状に形成される。また、前記本底３７は、ゴム、軟質の合成樹脂等の、可撓性及び弾性を有する材料から成り、本底３７の下面には表面硬化処理等が施され、硬度が高くされる。
【００２６】
前記本底３７は、底壁３７ａ、該底壁３７ａの外周縁に沿って立ち上げて形成された側壁３７ｂ、本底３７の所定の部分、本実施の形態においては、後方部分において、底壁３７ａから立ち上げて、かつ、本底３７の幅方向に延在させて形成された第１の仕切壁３８、及び本底３７の所定の部分、本実施の形態においては、前方部分において、底壁３７ａから立ち上げて、かつ、本底３７の幅方向に延在させて形成された第２の仕切壁３９を備える。そして、第１、第２の仕切壁３８、３９によって前記空気層Ｓｐが区画される。
【００２７】
ところで、前記換気靴３０においては、靴本体部３１内の空気を循環させるとともに、靴本体部３１内の空気を靴本体部３１外に排出し、靴本体部３１外の空気を靴本体部３１内に取り込んで靴本体部３１内の換気を行うために、換気装置が配設されるようになっている。
【００２８】
該換気装置は、靴本体部３１内の所定の箇所、本実施の形態においては、靴本体部３１内の後端部において開口させられ、靴本体部３１外の空気を靴本体部３１内に取り込み、更にヒール３３内（図１における右側の矢印方向）に取り込むための第１の通気部としての吸気部４８、靴本体部３１内の他の所定の箇所、本実施の形態においては、靴本体部３１内の前端部において開口させられ、靴本体部３１内（図１における左側の矢印方向）に空気を排出し、更に靴本体部３１外に排出するための第２の通気部としての排気部４９、及び前記空気層Ｓｐ内に配設されたポンプ装置４６を備える。
【００２９】
前記吸気部４８は、上中底３５の後端部において弧状に配設された複数の開口４８ａ、及び下中底３６の後端部において前記開口４８ａと連通させて弧状に配設され、前記開口４８ａより径が大きい複数の開口４８ｂから成り、前記排気部４９は、上中底３５の前端部において２列に配設された複数の開口４９ａ、及び下中底３６の前端部において前記開口４９ａと連通させて２列に配設され、前記開口４９ａより径が大きい複数の開口４９ｂから成る。
【００３０】
また、前記ポンプ装置４６は、前記空気層Ｓｐにおいて、前記第１の仕切壁３８より後方に、前記吸気部４８と隣接させて、かつ、連通させて形成された第１の空気室としての吸気室Ｒ１、前記第２の仕切壁３９より前方に、前記排気部４９と隣接させて、かつ、連通させて形成された第２の空気室としての排気室Ｒ２、第１、第２の仕切壁３８、３９間、すなわち、吸気室Ｒ１と排気室Ｒ２との間に形成された第３の空気室としてのポンプ室Ｒ３、及びヒール３３内において、吸気室Ｒ１とポンプ室Ｒ３との間に延在させて配設された弁構造体としての弁ユニット５８を備え、装着者の歩行に伴って、吸気室Ｒ１の空気がポンプ室Ｒ３に吸引され、ポンプ室Ｒ３の空気が排気室Ｒ２に吐出される。
【００３１】
前記弁ユニット５８は、吸気室Ｒ１とポンプ室Ｒ３との間に延在させて配設された弁本体５９、及び該弁本体５９と排気室Ｒ２とを連通する通気路としてのパイプ６０から成る。該パイプ６０は、合成樹脂等の弾性材料、本実施の形態においては、ウレタン等によって形成された筒状体から成り、後端が前記弁本体５９の前端に取り付けられ、前端が排気室Ｒ２に開口させられる。
【００３２】
また、図５に示されるように、前記本底３７におけるポンプ室Ｒ３を形成する部分には、底壁３７ａから立ち上げて、かつ、本底３７の幅方向に延在させて所定の数の、本実施の形態においては、５個の第１のリブとしての横方向リブｍｉ（ｉ＝１、２、…、５）が形成されるとともに、底壁３７ａから立ち上げて、かつ、本底３７の長手方向に延在させて所定の数の、本実施の形態においては、３個の第２のリブとしての縦方向リブｋｉ（ｉ＝１、２、３）が形成される。なお、縦方向リブｋ１、ｋ２は第１、第２の仕切壁３８、３９間に延在させて、縦方向リブｋ３は横方向リブｍ４と第２の仕切壁３９との間に延在させて形成される。
【００３３】
さらに、前記本底３７における排気室Ｒ２を形成する部分には、底壁３７ａから立ち上げて、かつ、本底３７の幅方向に延在させて所定の数の、本実施の形態においては、１個の横方向リブｍｊ（ｊ＝６）が形成されるとともに、底壁３７ａから立ち上げて、かつ、本底３７の長手方向に延在させて所定の数の、本実施の形態においては、２個の縦方向リブｋｊ（ｊ＝４、５）が形成される。なお、縦方向リブｋ４、ｋ５は第２の仕切壁３９と側壁３７ｂとの間に延在させて形成される。
【００３４】
前記横方向リブｍｉ及び縦方向リブｋｉの各上面は、所定の部分、本実施の形態においては、横方向リブｍｉと縦方向リブｋｉとの各交点ｘにおいて側壁３７ｂの上面と同一平面上に置かれ、下中底３６と当接させられ、側壁３７ｂ及び第１、第２の仕切壁３８、３９と共に上中底３５及び下中底３６を支持する。また、前記横方向リブｍｉ及び縦方向リブｋｉの前記各交点ｘ以外の部分の上面は、側壁３７ｂの上面より所定の距離、本実施の形態においては、２〔ｍｍ〕低くされ、それにより、下中底３６との間に隙間が形成され、横方向リブｍｉ及び縦方向リブｋｉによって区画された室間が連通させられる。なお、必要に応じて、各交点ｘ以外の所定の部分において、前記横方向リブｍｉ及び縦方向リブｋｉの各上面を側壁３７ｂの上面と同一平面上に置き、上中底３５及び下中底３６を支持するようにすることができる。
【００３５】
そして、前記第１の仕切壁３８は、図７に示されるように、本底３７の幅方向における中央に、前記弁本体５９を緊密に包囲して保持するための凹部５１を備え、第１の仕切壁３８の上面が、側壁３７ｂの上面と同一平面上に置かれる。
【００３６】
また、前記横方向リブｍ１は、図８に示されるように、本底３７の幅方向における中央に、前記弁本体５９を緊密に包囲して保持するための凹部５２を備え、横方向リブｍ１の上面は、前述されたように、縦方向リブｋ１、ｋ２との各交点ｘにおいて側壁３７ｂの上面と同一平面上に置かれ、交点ｘ以外の部分において、側壁３７ｂの上面より２〔ｍｍ〕低くされる。
【００３７】
そして、前記横方向リブｍ５は、図９に示されるように、本底３７の幅方向における前記凹部５１、５２と対応する部分に、パイプ６０を保持するための凹部５４を備え、横方向リブｍ５の上面は、前述されたように、縦方向リブｋ１〜ｋ３との各交点ｘにおいて側壁３７ｂの上面と同一平面上に置かれ、交点ｘ以外の部分において、側壁３７ｂの上面より２〔ｍｍ〕低くされる。
【００３８】
さらに、前記第２の仕切壁３９は、図１０に示されるように、本底３７の幅方向における前記凹部５４と対応する部分に、前記パイプ６０を緊密に包囲して保持するための貫通穴５５を備え、前記第２の仕切壁３９の上面が、側壁３７ｂの上面と同一平面上に置かれる。
【００３９】
なお、前記上中底３５と下中底３６とは所定の固定方法、本実施の形態においては、接着剤による接着によって固定される。また、下中底３６と本底３７とは、側壁３７ｂ、第１、第２の仕切壁３８、３９及び各交点ｘにおいて、所定の固定方法、本実施の形態においては、接着剤による接着によって固定される。
【００４０】
したがって、第１の仕切壁３８によって吸気室Ｒ１とポンプ室Ｒ３とが互いに密封された状態で分離させられ、第２の仕切壁３９によってポンプ室Ｒ３と排気室Ｒ２とが互いに密封された状態で分離させられる。なお、各交点ｘにおいて、下中底３６と本底３７とを固定することなく、当接させることもできる。
【００４１】
次に、弁ユニット５８について説明する。
【００４２】
図１１は本発明の実施の形態における弁ユニットの縦断面図である。
【００４３】
図において、５８は弁ユニット、５９は弁本体、６０はパイプである。
【００４４】
弁本体５９は、硬質の合成樹脂等から成り、直方体の形状を有する弁ブロック７１、該弁ブロック７１内に配設されたボール式の第１の逆止弁としての吸気用逆止弁７２、ボール式の第２の逆止弁としての排気用逆止弁７３等を備える。
【００４５】
前記弁ブロック７１は、前壁ｗｆ、後壁ｗｒ、底壁ｗｂ及び頂壁ｗｔを備え、前記後壁ｗｒに、前記吸気室Ｒ１と連通させられる第１の通気口としての吸気口ｈｒが形成され、前記前壁ｗｆに、パイプ６０が取り付けられ、前記排気室Ｒ２と連通させられる第２の通気口としての排気口ｈｆが形成され、前記底壁ｗｂに、前記ポンプ室Ｒ３と連通させられる第１のポンプ室開口としてのポンプ室吸入口ｈ１及び第２のポンプ室開口としてのポンプ室吐出口ｈ２が形成される。
【００４６】
そして、前記弁ブロック７１を貫通させて、前記吸気口ｈｒとポンプ室吸入口ｈ１との間にＬ字形の形状を有する第１の弁流路７６が、前記排気口ｈｆとポンプ室吐出口ｈ２との間にＬ字形の形状を有する第２の弁流路７７が形成され、前記第１の弁流路７６内に、前記吸気用逆止弁７２が水平方向に移動自在に配設され、前記第２の弁流路７７内に、排気用逆止弁７３が垂直方向に移動自在に配設される。
【００４７】
また、前記第１の弁流路７６内における前記吸気用逆止弁７２とポンプ室吸入口ｈ１との間に、前記吸気用逆止弁７２を付勢して弁座７８に押し付け、第１の弁流路７６を閉鎖する吸気側の付勢部材としてのスプリング８３が、前記第２の弁流路７７内における前記排気用逆止弁７３と排気口ｈｆとの間に、前記排気用逆止弁７３を付勢して弁座７９に押し付け、第２の弁流路７７を閉鎖する排気側の付勢部材としてのスプリング８４が配設される。
【００４８】
なお、本実施の形態において、前記吸気用逆止弁７２及び排気用逆止弁７３は、合成樹脂から成る球体によって形成され、前記スプリング８３、８４はステンレス鋼製のコイルスプリングによって形成される。また、吸気用逆止弁７２及び排気用逆止弁７３を金属製の球体によって形成することができる。
【００４９】
次に、前記換気装置の動作について説明する。
【００５０】
図１２は本発明の実施の形態における排気時の換気装置の動作を説明するための図、図１３は本発明の実施の形態における吸気時の換気装置の動作を説明するための図である。
【００５１】
ところで、本実施の形態において、前記下中底３６（図１）は可撓性を有する材料によって、本底３７は可撓性及び弾性を有する材料によって形成されるので、装着者の歩行に伴って、前記第１、第２の仕切壁３８、３９間に形成されたポンプ室Ｒ３の容積が変化し、該ポンプ室Ｒ３内の圧力が変化する。これにより、靴本体部３１内の換気が行われる。
【００５２】
すなわち、装着者が換気靴３０を装着していない状態においては、上中底３５、下中底３６及び本底３７が偏平な状態にされ、横方向リブｍｉ、ｍｊ（図５）及び縦方向リブｋｉ、ｋｊが伸長させられる。このとき、第１、第２の弁流路７６、７７は閉鎖されている。
【００５３】
そして、装着者が換気靴３０を装着し、両足を地面に置くと、両足の換気靴３０において、装着者の体重が上中底３５、下中底３６及び本底３７に加わり、本底３７が地面に押し付けられる。それに伴って、横方向リブｍｉ、ｍｊ及び縦方向リブｋｉ、ｋｊが収縮させられ、ポンプ室Ｒ３の容積が小さくなり、ポンプ室Ｒ３内の圧力が高くなる。これにより、スプリング８４（図１１）の付勢力に抗して排気用逆止弁７３が弁座７９から離れ、第２の弁流路７７が開放される。そして、ポンプ室Ｒ３内の空気は、図１２の矢印で示されるように、第２の弁流路７７及びパイプ６０内の流路を介して排気室Ｒ２に吐出され、排気部４９を介して靴本体部３１内に排出される。
【００５４】
続いて、装着者が一方の足を踏み出すと、他方の足の換気靴３０において、上中底３５、下中底３６及び本底３７が湾曲させられ、それに伴って、横方向リブｍｉ、ｍｊ及び縦方向リブｋｉ、ｋｊのうちの所定のリブが更に収縮させられ、ポンプ室Ｒ３の容積が更に小さくなり、ポンプ室Ｒ３内の圧力が一層高くなる。これにより、ポンプ室Ｒ３内の空気は、更に排気室Ｒ２に吐出され、靴本体部３１内に排出される。
【００５５】
そして、装着者が、踏み出した一方の足を地面に置き、他方の足を踏み出すと、他方の足の換気靴３０は地面から離れ、上中底３５、下中底３６及び本底３７が偏平な状態に復元し、前記所定のリブが復元させられるとともに伸長させられる。それに伴って、ポンプ室Ｒ３の容積が大きくなり、ポンプ室Ｒ３内の圧力が低くなる。これにより、スプリング８４の付勢力によって排気用逆止弁７３が弁座７９に押し付けられ、第２の弁流路７７が閉鎖されるとともに、スプリング８３の付勢力に抗して吸気用逆止弁７２が弁座７８から離れ、第１の弁流路７６が開放される。その結果、靴本体部３１内の空気は、吸気部４８を介して吸気室Ｒ１に取り込まれ、図１３の矢印で示されるように、ポンプ室Ｒ３に吸引される。
【００５６】
このようにして、装着者が歩行するのに伴って、靴本体部３１外の空気が靴本体部３１内に取り込まれ、ポンプ室Ｒ３に吸引されるとともに、ポンプ室Ｒ３から吐出された空気が靴本体部３１内に排出され、更に靴本体部３１外に排出されるので、靴本体部３１内の換気を行うことができる。
【００５７】
このように、本実施の形態においては、ポンプ室Ｒ３が下中底３６と本底３７との間の空気層Ｓｐ内に形成されるので、ポンプ室Ｒ３の容積を大きくすることができ、ポンプ室Ｒ３に吸引され、ポンプ室Ｒ３から吐出される空気の量を多くすることができる。したがって、装着者の歩行に伴って、本底３７がわずかに収縮し、上中底３５、下中底３６及び本底３７がわずかに湾曲するだけで、靴本体部３１内の換気を十分に行うことができる。
【００５８】
しかも、上中底３５、下中底３６及び本底３７が湾曲することによって、空気がポンプ室Ｒ３に吸引され、該ポンプ室Ｒ３から吐出されるので、装着者の体重によって、ポンプ室Ｒ３に吸引され、ポンプ室Ｒ３から吐出される空気の量が多くなり、換気量を多くすることができる。
【００５９】
また、靴本体部３１に装着者の足が精度良く密着して装着されて踵がソール３２から離れなくなることがあっても、装着者の歩行に伴って、本底３７が収縮し、上中底３５、下中底３６及び本底３７が湾曲するので、靴本体部３１内の換気を円滑に行うことができる。
【００６０】
さらに、前記本底３７におけるポンプ室Ｒ３及び排気室Ｒ２を形成する部分には、底壁３７ａから立ち上げて複数のリブｍｉ、ｍｊ、ｋｉ、ｋｊが形成されるので、上中底３５、下中底３６及び本底３７が過剰に湾曲して変形するのを抑制することができる。したがって、換気靴３０の耐久性を高くすることができる。
【００６１】
そして、前記リブｍｉ、ｍｊ、ｋｉ、ｋｊの各上面は、各交点ｘにおいて下中底３６と固定させられるので、上中底３５及び下中底３６を十分に支持することができる。したがって、上中底３５及び下中底３６が装着者の体重によって変形するのを抑制することができ、換気靴３０の耐久性を一層高くすることができる。
【００６２】
また、前記リブｍｉ、ｍｊ、ｋｉ、ｋｊの各上面が各交点ｘにおいて下中底３６と固定させられるので、装着者の歩行に伴って上中底３５、下中底３６及び本底３７が湾曲させられると、横方向リブｍｉ、ｍｊ及び縦方向リブｋｉ、ｋｊのうちの所定のリブが収縮させられる。したがって、装着者の歩行に伴って、ポンプ室Ｒ３の容積を大きく変化させることができるので、靴本体部３１内の換気を一層十分に行うことができる。
【００６３】
さらに、前記吸気部４８及び排気部４９は上中底３５及び下中底３６に形成され、弁ユニット５８は本底３７によって換気靴３０外と遮断されているので、換気靴３０外から泥、水等の異物が進入して弁ユニット５８に付着することがない。したがって、吸気用逆止弁７２及び排気用逆止弁７３が作動しなくなることがないので、靴本体部３１内の換気を円滑に行うことができる。
【００６４】
なお、本実施の形態においては、靴本体部３１内の後端部において取り込まれた空気がポンプ装置４６に供給され、該ポンプ装置４６によって吐出された空気が靴本体部３１内の前端部において排出されるようになっているが、ポンプ装置４６において吸気用逆止弁７２及び排気用逆止弁７３の動作を逆にすることによって、靴本体部３１内の前端部において取り込まれた空気をポンプ装置４６に供給し、該ポンプ装置４６によって吐出された空気を靴本体部３１内の後端部において排出することができる。
【００６５】
その場合、靴本体部３１内の前端部において、第１の通気部としての吸気部が、靴本体部３１内の後端部において、第２の通気部としての排気部が開口させられる。また、前記空気層Ｓｐにおいて、前記第２の仕切壁３９より前方に、吸気部と隣接させて、かつ、連通させて形成された第１の空気室としての吸気室が、前記第１の仕切壁３８より後方に、排気部と隣接させて、かつ、連通させて第２の空気室としての排気室が、第１、第２の仕切壁３８、３９間、すなわち、吸気室と排気室との間に第３の空気室としてのポンプ室が形成される。
【００６６】
また、本実施の形態においては、靴本体部３１内の後端部において上中底３５及び下中底３６に第１の通気部としての吸気部４８が形成され、靴本体部３１内の前端部において上中底３５及び下中底３６に第２の通気部としての排気部４９が形成されるようになっているが、靴本体部３１内の前端部において上中底３５及び下中底３６に第１の通気部としての吸気部を、靴本体部３１内の後端部において上中底３５及び下中底３６ではなく、本底３７の後端部に第２の通気部としての排気部を形成することもできる。その場合、本底３７には吸気部が形成されないので、換気靴３０外から泥、水等の異物が空気と共に進入して弁ユニット５８に付着するのを抑制することができる。
【００６７】
さらに、靴本体部３１内の後端部において、弁本体と排気部とを通気路としてのパイプによって連通させると、換気靴３０外から泥、水等の異物が空気と共に進入して弁ユニット５８に付着するのを一層抑制することができる。
【００６８】
なお、本発明は前記実施の形態に限定されるものではなく、本発明の趣旨に基づいて種々変形させることが可能であり、それらを本発明の範囲から排除するものではない。
【符号の説明】
【００６９】
３０    換気靴
３１    靴本体部
３５    上中底
３６    下中底
３７    本底
４６    ポンプ装置
４８    吸気部
４９    排気部
５８    弁ユニット
Ｒ３    ポンプ室
Ｓｐ    空気層
【図１】
2014200327.tif 000003
【図２】
2014200327.tif 000004
【図３】
2014200327.tif 000005
【図４】
2014200327.tif 000006
【図５】
2014200327.tif 000007
【図６】
2014200327.tif 000008
【図７】
2014200327.tif 000009
【図８】
2014200327.tif 000010
【図９】
2014200327.tif 000011
【図１０】
2014200327.tif 000012
【図１１】
2014200327.tif 000013
【図１２】
2014200327.tif 000014
【図１３】
2014200327.tif 000015